(57)【特許請求の範囲】
【請求項１】
金融商品の売買取引に望ましい取引環境を分析する処理を行うためのシステムであって、
金融商品のトレーディングソフトウェアを提供する金融商品取引業者装置と、金融商品の取引を行う投資家が操作する、金融商品の時間的な値動きの推移を時間軸と価格軸とを用いたチャートで示す機能を備えるトレーダ端末と、がネットワークを介して通信可能に構成され、
金融商品取引業者装置は、
トレーダ端末からの要求に応じてトレーディングソフトウェアを提供すると共に、金融商品の値動きに関する四本値情報を逐次送信する機能を少なくとも備え、
トレーダ端末は、
金融商品取引業者装置から四本値情報を受信することで出力部に表示されたチャートに重ねて、時間軸方向と価格軸方向とに複数の区画を有し、当該チャートにおいて範囲を限定するフレームを表示するフレーム表示処理手段と、
前記フレーム内に含まれる所定の複数の時点における四本値情報が示す始値が含まれる当該フレーム内での区画の配置に基づいてチャートが示す取引環境を分析し、当該チャートが、金融商品取引の売買に望ましい所定の取引環境を示すと判断したとき、前記フレームの表示に加えて視覚的に認識可能な標示として、前記フレームを構成する複数の縦線及び複数の横線の何れかによって囲まれた前記始値が含まれる区画に色彩を施す取引環境標示処理手段と、
を少なくとも備えていることを特徴とする金融商品取引支援システム。
【請求項２】
前記トレーダ端末は、
前記フレーム表示処理手段が、
チャートにおいて最新の値動きが示された時点から任意の複数の時間遡った時点にそれぞれ設けられる、価格軸に平行な複数の縦線と、
チャートにおいて最新の値動きが示された時点から時間的に最も長く遡った時点までの間での最高値に接して設けられる、時間軸に平行な上横線と、
チャートにおいて最新の値動きが示された時点から時間的に最も長く遡った時点までの間での最安値に接して設けられる、時間軸に平行な下横線と、
前記上横線と前記下横線の間を均等に区分して設けられる一以上の中横線と、
から構成されるフレームを生成する、
ことを特徴とする請求項１に記載の金融商品取引支援システム。
【請求項３】
前記トレーダ端末は、
前記フレーム表示処理手段が、
表示するフレームにおける時間軸方向の区画ごとに受け付けた、四本値情報としてチャートに表示される図形の数の設定によって、前記複数の時点をそれぞれ特定し、
最新の値動きが示された時点から特定した前記複数の時点の中で時間的に最も長く遡った時点までの間での最高値及び最安値を特定し、
さらに、前記複数の時点においてそれぞれ、特定した前記最高値を上限及び特定した前記最安値を下限とする直線を前記縦線として生成すると共に、
前記縦線の各上限に接する直線を前記上横線とし、前記縦線の各下限に接する直線を前記下横線とし、表示するフレームにおける価格軸方向の区画の数に応じて設けられる直線を前記中横線としてそれぞれ生成し、
前記縦線と、前記上横線と、前記下横線と、前記中横線と、を組み合わせて前記フレームとする、
ことを特徴とする請求項２に記載の金融商品取引支援システム。
【請求項４】
前記トレーダ端末は、
前記フレーム表示処理手段が、
最高値及び最安値を、特定した前記複数の時点の中で、時間的に最も短く遡った時点から時間的に最も長く遡った時点までの間に限定して特定する、
ことを特徴とする請求項３に記載の金融商品取引支援システム。
【請求項５】
前記トレーダ端末は、
前記取引環境標示処理手段が、
前記標示として、金融商品取引の売りに望ましい所定の取引環境と、金融商品取引の買いに望ましい所定の取引環境とで、異なる色彩を施すことを特徴とする請求項１乃至４の何れか１項に記載の金融商品取引支援システム。
【請求項６】
前記トレーダ端末は、
前記取引環境標示処理手段が、
前記チャートにおいて設定された執行期間での取引環境を分析した後、当該執行期間よりも長い上位期間にて同様に取引環境をさらに分析し、前記執行期間に基づく取引環境の判断と、前記上位期間に基づく取引環境の判断が同じであるとき、前記標示として施される色彩を濃くする、
ことを特徴とする請求項１乃至５の何れか１項に記載の金融商品取引支援システム。
【請求項７】
金融商品の売買取引に望ましい取引環境を分析する処理を行うための方法であって、
金融商品のトレーディングソフトウェアを提供すると共に、金融商品の値動き関する四本値情報を逐次送信する機能を備える、金融商品取引業者装置にネットワークを介して通信可能に構成された、金融商品の取引を行う投資家が操作する、金融商品の時間的な値動きの推移を時間軸と価格軸とを用いたチャートで示す機能を備えるトレーダ端末が、
金融商品取引業者装置から四本値情報を受信することで出力部に表示されたチャートに重ねて、時間軸方向と価格軸方向とに複数の区画を有し、当該チャートにおいて範囲を限定するフレームを表示するステップと、
前記フレーム内に含まれる所定の複数の時点における四本値情報が示す始値が含まれる当該フレーム内での区画の配置に基づいてチャートが示す取引環境を分析し、当該チャートが、金融商品取引の売買に望ましい所定の取引環境を示すと判断したとき、前記フレームの表示に加えて視覚的に認識可能な標示として、前記フレームを構成する複数の縦線及び複数の横線の何れかによって囲まれた前記始値が含まれる区画に色彩を施すステップと、
を少なくとも含むことを特徴とする金融商品取引支援方法。
【請求項８】
金融商品のトレーディングソフトウェアを提供する金融商品取引業者装置にネットワークを介して通信可能に構成された、金融商品の取引を行う投資家が操作する、金融商品の時間的な値動きの推移を時間軸と価格軸とを用いたチャートで示す機能を備えるトレーダ端末を、金融商品の売買取引に望ましい取引環境を分析する処理を行うための通信端末として機能させるためのコンピュータプログラムであって、
前記トレーダ端末に、
金融商品取引業者装置から四本値情報を受信することで出力部に表示されたチャートに重ねて、時間軸方向と価格軸方向とに複数の区画を有し、当該チャートにおいて範囲を限定するフレームを表示する処理と、
前記フレーム内に含まれる所定の複数の時点における四本値情報が示す始値が含まれる当該フレーム内での区画の配置に基づいてチャートが示す取引環境を分析し、当該チャートが、金融商品取引の売買に望ましい所定の取引環境を示すと判断したとき、前記フレームの表示に加えて視覚的に認識可能な標示として、前記フレームを構成する複数の縦線及び複数の横線の何れかによって囲まれた前記始値が含まれる区画に色彩を施す処理と、
を実行させることを特徴とする金融商品取引支援プログラム。
【発明の詳細な説明】
【技術分野】
【０００１】
本願発明は、金融商品の取引を行う際に、現時点での取引環境が金融商品取引の売買に望ましいか否かを見極めるための分析ツールに関する。
【背景技術】
【０００２】
近年、オンライン上において（インターネットなどのネットワーク経由で）、個人投資家を含めた多くの投資家が様々な金融商品の取引を行っている。たとえば、外国為替取引（以下、「ＦＸトレード」という。）は、為替レートが上がるか下がるかといった為替の動向を、投資家が予測してＦＸ業者に売買の注文を行い、為替レートの変動による差益を得ることを目的とする金融取引商品である。
【０００３】
すなわち、為替レートは、市場介入や各種経済指標、金利差、政治情勢、経済環境など様々な要因の変化により影響を受け易く、絶えず変動している。ゆえに、ＦＸトレードは、特定の通貨の価格が上がるタイミングで（安い時に）買って、その通貨の価格が下がるタイミングで（高い時に）売る、もしくは特定の通貨の価格が下がるタイミングで（高い時に）売って、その通貨の価格が下がるタイミングで（安い時に）買い戻す、といった売り買いのタイミングを測って利益を上げていく売買取引である。
【０００４】
このＦＸトレードには、スキャルピング、デイトレード、スイングトレード、長期トレードといった４種類の取引の形態がある。スキャルピングは、１回のトレードを数秒から長くても５分以内に終了するトレードスタイルである。デイトレードは、１日以内にトレードを終了するスタイルである。スイングトレードは、数日から数週間ポジション（特定の通貨を買っている状態又は売っている状態）を保有するトレードスタイルである。そして、長期トレードは、ポジションを数ヶ月から数年単位で保有するスタイルである。
【０００５】
ＦＸトレードを行う場合、投資家は、該当通貨の過去の値動きの推移を視覚的に表示した為替チャート（ＦＸチャート）と称するグラフを読み、相場の流れを把握すると共に、投資家の心理状態を分析し、今後の値動き（相場の変動）を予測している。このチャートとしては、一定時間ごとの値動きを一本の縦線で表したバーチャートや、一定時間ごとの値動きを、終値どうしを線で結んだライン（折れ線足）で表したラインチャート、一定時間ごとの値動きを太線と細線からなるローソクの形をした図形（ローソク足）で表したローソク足チャートがある。
【０００６】
日本においては、これらのチャートの中でローソク足チャートを用いることが一般的である。ローソク足チャートを構成するローソク足は、金融商品の価格の始値、終値、高値、安値といった四本値を一目で表現するものとなっている。このローソク足では、一定時間ごとに始値から終値までの実体部分を太線で示し、この実体部分より上の最高値までの部分（上ヒゲ）と、実体部分より下の最安値までの部分（下ヒゲ）をそれぞれ細線で示している。
【０００７】
ゆえに、ローソク足チャートでは、ローソク足を時系列に並べることで、その形からどのような値動きをしたのかが分かるようになっている。
なお、これらのチャートでは、縦軸に過去の為替レート（金融商品の価格）の動きを表し、横軸に時間を表したものとなっている。
【０００８】
ところでＦＸトレードでは、同じチャートの画面で、同じ理論や同じロジックを用いて取引を行っても、多くの勝ちを得ることができる者もいれば、負けが込んでしまう者もいる。また、最近では、初心者でも気軽にＦＸトレードを行うことができる環境が整ってきており、ＦＸトレードを始めて１年以内に９０％が負け、５年以内には９９％が負けてしまうといわれている。
【０００９】
すなわち、チャートに基づいて値動きを予測し、好ましい売買の取引環境を認識することは、ＦＸトレードの熟練者や専門家ならともかく、一般投資家とっては必ずしも容易ではない。特に初心者にとっては、チャートのみで値動きを予測することは非常に困難である。また、時間をかけて理論やロジックを学んでも、チャートを見極める才能やセンスがなければ正確に分析を行うことができず、損失を被ってしまうことがほとんどである。
【００１０】
そこで、ＦＸトレードで大きな損失を被ってしまうことを防ぐための手段として、為替レートが予め決めておいた所定の価格を超えたときに、損失が拡大しないように警告メッセージを発することができるシステムが提案されている（特許文献１を参照）。
このシステムを用いれば、初心者であってもＦＸトレードで想定外の損失を被らないようにすることはできる。しかしながら、ＦＸトレードで勝つためにどのタイミングで売買にエントリーし、どのタイミングで決済をしたら望ましいのかは分からない。
【００１１】
また、ＦＸトレードを含む金融商品取引の売買に望ましい取引環境を認識することができるようにしたシステムや方法、装置等が多数提案されている（特許文献２〜９を参照）。
しかしながら、上述したシステム等は、金融商品の始値や終値、安値、高値、売値、買値といった金融の値動きに関する情報に基づくチャートを分析するものではなく、これらの情報に様々な処理を施したり、ＦＸトレードの熟練者や専門家等のコメントを加えたりするものとしている。ゆえに、それぞれの処理やコメントが、実際の取引環境を客観的に分析することの妨げとなっているように感じられる。
【００１２】
したがって、金融取引情報に基づくチャートに何ら処理を施したり、主観的なコメントを加えたりすることなく、金融商品取引の売買に望ましい取引環境を客観的に認識することができる分析ツールがあれば望ましいが、出願人が知る限りそのようなツールは何ら提案されていない。
【先行技術文献】
【特許文献】
【００１３】
【特許文献１】特開２００２−２５１５２２号公報
【特許文献２】特許第４３８０１５２号
【特許文献３】特開２０１０−２７１８６０号
【特許文献４】特表２０１０−５３６１０４号
【特許文献５】特開２０１４−１３９８４３号
【特許文献６】特開２０１６−１０５３０９号
【特許文献７】実用新案登録第３２１７７０９号公報
【特許文献８】特許第６０９３０３２号
【特許文献９】特開２０１９−２０７４５２号
【発明の概要】
【発明が解決しようとする課題】
【００１４】
本発明は、上記事情に鑑みて成されたものであり、金融商品取引の売買に望ましい取引環境を容易に分析することを可能とした技術を提供することを目的とする。
【課題を解決するための手段】
【００１５】
本発明に係る金融商品取引支援システムは、金融商品の売買取引に望ましい取引環境を分析する処理を行うためのシステムであって、金融商品のトレーディングソフトウェアを提供する金融商品取引業者装置と、金融商品の取引を行う投資家が操作する、金融商品の時間的な値動きの推移を時間軸と価格軸とを用いたチャートで示す機能を備えるトレーダ端末と、がネットワークを介して通信可能に構成されたものとなっている。
【００１６】
このシステムにおいて金融商品取引業者装置は、トレーダ端末からの要求に応じてトレーディングソフトウェアを提供すると共に、金融商品の値動きに関する始値、終値、高値、安値といった四本値情報をトレーダ端末へ逐次送信する機能を少なくとも備えている。
【００１７】
ここで、トレーディングソフトウェアとは、金融商品の売買取引をより行い易くするためのツールのひとつであって、金融商品の取引を行う投資家が操作するトレーダ端末にインストールすることで、チャート等の投資情報の提供に加え、実際の売買の執行まで可能とする。
【００１８】
したがって、このシステムにおいてトレーダ端末は、金融商品取引業者装置からチャート表示処理機能を有するトレーディングソフトウェアを取得（インストール）し、さらに金融商品取引業者装置から四本値情報を受信することで、縦軸に金融商品の価格及び横軸に時間が設定されたチャートを視覚的に示すものとなっている。すなわち、トレーダ端末は、チャート表示処理機能によって生成したチャートを出力部に表示し、金融商品取引業者装置から最新の四本値情報を受信するごとに、その情報をリアルタイムに反映したチャート（以下、「リアルタイムチャート」という。）を出力部に表示するものとなっている。
【００１９】
そして、このシステムにおいてトレーダ端末は、出力部に表示するリアルタイムチャートに重ねて、時間軸方向と価格軸方向とに複数の区画を有するフレームを表示するフレーム表示処理手段、を少なくとも備えることを基本的な特徴とする。
【００２０】
このフレーム表示処理手段は、リアルタイムチャートに重ねて複数の区画を有するフレームを表示することができるものであれば、その処理方法は特に限定されない。たとえば、リアルタイムチャートにおいて最新の値動きが示された時点から任意の複数の時間遡った時点にそれぞれ設けられる、価格軸（縦軸）に平行な複数の縦線と、チャートにおいて最新の値動きが示された時点から時間的に最も長く遡った時点までの間での最高値に接して設けられる、時間軸（横軸）に平行な上横線と、チャートにおいて最新の値動きが示された時点から時間的に最も長く遡った時点までの間での最安値に接して設けられる、時間軸（横軸）に平行な下横線と、前記上横線と前記下横線の間を均等に区分して設けられる一以上の中横線と、から構成されるフレームを生成するものとすることができる。
【００２１】
すなわち、このシステムは、今後の値動き（相場の変動）を予測するために、取引環境を分析するツールであるので、最新の値動きが示された時点から任意の複数の時間遡った各時点（縦線）における過去の値動きの推移を参照し、さらに、この範囲における最高値をフレームの上限（上横線）とし、この範囲における最安値をフレームの下限（下横線）とすると共に、上限と下限の間を均等に区分する一以上の中横線を設けるものとした。
【００２２】
これにより、縦線と上横線と下横線によって、出力部に表示されたリアルタイムチャートにおいて着目する範囲が限定され、さらに、一以上の中横線によって、限定された範囲内での価格の上下動の程度が見極め易くなり、初心者でも今後の値動きの動向の分析が行い易いものとなる。
【００２３】
また、このフレーム表示処理手段のより具体的な処理方法としては、たとえば、表示するフレームにおける時間軸方向の区画ごとに受け付けた、四本値情報として一定期間ごとにリアルタイムチャートに表示される図形の数の設定によって、複数の時点をそれぞれ特定する。また、最新の値動きが示された時点から特定した複数の時点の中で時間的に最も長く遡った時点までの間での最高値及び最安値を特定する。さらに、特定した複数の時点においてそれぞれ、特定した最高値を上限及び特定した最安値を下限とする直線を縦線として生成すると共に、この縦線の各上限に接する直線を上横線とし、この縦線の各下限に接する直線を下横線とし、表示するフレームにおける価格軸方向の区画の数に応じて設けられる直線を中横線としてそれぞれ生成する。そして、生成した縦線と上横線と下横線と中横線とを組み合わせてフレームとするものである。
【００２４】
この処理方法において、一定期間ごとにリアルタイムチャートに表示される四本値情報の図形としては、たとえば、バーチャートにおける一本の線や、ラインチャートにおける折れ線足、ローソク足チャートにおけるローソク足とする。すなわち、この図形はリアルタイムチャートにおいて一定期間ごとに表示されるものであるから、これらの図形の数によって経過した時間が分かり、この図形の数を設定するという極めて簡易な手段によって、時間的に遡って区切る複数の時点を特定することができる。そして、この特定した時点を、フレームにおいて縦線を設ける位置とすることができる。
【００２５】
したがって、リアルタイムチャートに対する執行時間（執行足）として、たとえば、１分の時間足（１分足）が設定されれば、リアルタイムチャートに対して１分ごとに新たな図形が表示され、同じく執行足として５分足が設定されれば、リアルタイムチャートに対して５分ごとに新たな図形が表示されるものとなる。この時間足として設定される執行時間は、１分や５分のほかに、１５分や３０分、６０分（１時間）、４時間、１日、１週間などとすることができる。
【００２６】
また、この処理方法において、フレームを構成する縦線は、上述したようにリアルタイムチャートに表示される図形の数の設定によって特定した複数の時点の中で、最新の値動きが示された時点から時間的に最も長く遡った時点までの間での最高値及び最安値を特定することで生成される。すなわち、縦線を設ける位置として特定した複数の時点においてそれぞれ、特定した最高値を上限とし、及び特定した最安値を下限とすることで、フレームを構成する縦線を生成することができる。
【００２７】
また、この処理方法において、フレームを構成する横線は、次のようにして生成される。まず、上述したように特定した複数の時点における縦線の各上限に接するように、最新の値動きが示された時点から時間的に最も長く遡った時点までの範囲において上横線を生成する。また、同じく特定した複数の時点における縦線の各下限に接するように、最新の値動きが示された時点から時間的に最も長く遡った時点までの範囲において下横線を生成する。さらに、表示するフレームとして事前に設定された価格軸方向の区画の数に応じて、上横線と下横線の間を均等に区分することで一以上の中横線を生成する。
【００２８】
ゆえに、この処理方法においては、それぞれ生成された、複数の縦線と、上横線と、下横線と、一以上の中横線とからフレームを構成し、リアルタイムチャートに重ねて表示するものとしている。
【００２９】
また、このフレーム表示処理手段においては、最高値及び最安値を、特定した複数の時点の中で、時間的に最も短く遡った時点から時間的に最も長く遡った時点までの間に限定して特定するものとしても良い。すなわち、最新の値動きが示された時点から時間的に最も短く遡った時点までを除いて最高値及び最安値を特定するものである。
これにより、値動きが不安定な最近の動向に左右されず、所定の範囲での値動きに基づいて判断することができるものとなる。
【００３０】
また、このシステムにおいてトレーダ端末は、フレーム内に含まれる所定の複数の時点での四本値情報に基づいてリアルタイムチャートが示す取引環境を分析し、当該チャートが、金融商品取引の売買に望ましい所定の取引環境を示すと判断したとき、フレームの表示に加えて、視覚的に認識可能な標示を施す取引環境標示処理手段をさらに備えるものとすることができる。
【００３１】
すなわち、トレーダ端末は、フレーム表示処理手段に加えて取引環境標示処理手段を備えることで、リアルタイムチャートに重ねて表示されたフレームに、視覚的に認識可能な標示を施すことができるものとなっている。
これにより、フレームに施された標示によって、初心者であっても容易に金融商品の取引環境を視覚的に認識することができるものとなる。
【００３２】
この取引環境標示処理手段は、たとえば、特定した複数の時点における四本値情報が示す始値に基づいて取引環境をそれぞれ分析し、その判断に応じた標示をその始値が含まれる区画に施すものとすることができる。すなわち、区画ごとに時間的に古い金融商品の価格から取引実績を確認し、今後の価格の変動を予測した取引環境を把握することができる。
【００３３】
また、この取引環境標示処理手段において、視覚的に認識可能な標示は、たとえば、フレームを構成する複数の縦線及び複数の横線の何れかによって囲まれた（仕切られた）区画に色彩を施すものとしている。この区画に対する色彩は、たとえば、区画内に全て色彩を施す（区画内を所定の色で塗りつぶす）ものとしたり、区画を囲む枠を設けて色彩を施す（区画の周囲に所定の色の枠を設ける）ものしたり、前述のように施した色彩を点滅させるものとしたりすることができる。
【００３４】
すなわち、上述したように、金融商品取引の売買に望ましい所定の取引環境を示すと判断したとき、特定した複数の時点における四本値情報の始値が含まれる区画に所定の態様の色彩を施すものとする。
これにより、一目で容易に金融商品の取引環境を把握することができる。
【００３５】
また、この取引環境標示処理手段おいて、標示は、金融商品取引の売りに望ましい所定の取引環境と、金融商品取引の買いに望ましい所定の取引環境とで、異なる色彩を施すものとすることが望ましい。
これにより、金融商品の取引環境を売買の区分けに応じて一目で把握することができる。
【００３６】
また、この取引環境標示処理手段では、リアルタイムチャートにおいて設定された執行期間での取引環境を分析した後、当該執行期間よりも長い上位期間にて同様に取引環境をさらに分析し、この執行期間に基づく取引環境の判断と、上位期間に基づく取引環境の判断が同じであるとき、標示として施される色彩を濃くするものとしても良い。
これにより、金融商品の取引環境の程度を一目で把握することができる。
【００３７】
さらに、この取引環境標示処理手段では、リアルタイムチャートにおいて設定された執行期間での取引環境を分析した後、当該執行期間よりも長い上位期間にて同様に取引環境をさらに分析し、この執行期間に基づく取引環境の判断と、上位期間情報に基づく取引環境の判断を、上向き又は下向きの矢印としてリアルタイムチャートの近傍にそれぞれ施すものとしても良い。
これにより、上位期間における金融商品の取引環境が矢印によって一目で容易に把握することができる。また、執行期間における取引環境が色彩によって示されれば、一目で執行期間における取引環境と上位期間における取引環境を把握することができる。
【００３８】
そして、本発明では、金融商品のトレーディングソフトウェアを提供する金融商品取引業者装置にネットワークを介して通信可能に構成された、金融商品の取引を行う投資家が操作する、金融商品の時間的な値動きの推移を時間軸と価格軸とを用いたチャートで示す機能を備えるトレーダ端末を、金融商品の売買取引に望ましい取引環境を分析する処理を行うための通信端末として機能させる金融商品取引支援プログラムを実行することで、本発明に係る金融商品取引支援方法を実現することができる。
【発明の効果】
【００３９】
本発明に係る金融商品取引支援システムでは、リアルタイムチャートに重ねて、時間軸方向と価格軸方向とに複数の区画を有するフレームが表示されるものとなっている。ゆえに、金融商品の値動きを示すリアルタイムチャートにおいて着目する範囲がフレームによって限定されると共に、限定された範囲内での価格の上下動の推移（程度）が見極め易くなる。
したがって、金融商品の取引を行う際に、初心者でも今後の値動きの動向の分析が行い易く、金融商品取引の売買に望ましいか否かを見極めることが可能となる。
【図面の簡単な説明】
【００４０】
【図１】本発明に係る金融商品取引支援システムの構成を示すブロック図である。
【図２】本発明に係る金融商品取引支援システムの流れの一例を示したシーケンス図である。
【図３】本発明に係る金融商品取引支援システムで用いられるトレーダ端末における処理の一例を示すフローチャートである。
【図４】本発明に係る金融商品取引支援システムで用いられるトレーダ端末における処理の一例を示すフローチャートである。
【図５】本発明に係る金融商品取引支援システムで用いられるトレーダ端末の出力部に表示されるチャートに重ねてフレームを表示した状態を示す模式図である。
【図６】本発明に係る金融商品取引支援システムで用いられるトレーダ端末の出力部に表示されるチャートに重ねてフレームが表示され、「買い」に望ましい取引環境であることを標示する模式図である。
【図７】本発明に係る金融商品取引支援システムで用いられるトレーダ端末の出力部に表示されるチャートに重ねてフレームが表示され、「売り」に望ましい取引環境であることを示す模式図である。
【図８】本発明に係る金融商品取引支援システムで用いられるトレーダ端末の出力部に表示されるチャートに重ねてフレームが表示され、「買い」に望ましい取引環境であることを他の方法で標示する模式図である。
【図９】本発明に係る金融商品取引支援システムで用いられるトレーダ端末の出力部に表示されるチャートに重ねてフレームが表示され、「売り」に望ましい取引環境であることを他の方法で示す模式図である。
【発明を実施するための形態】
【００４１】
以下、本発明の実施の形態の一例について、図面に基づき説明する。
本発明に係る金融商品取引支援システムは、金融商品の売買取引に望ましい取引環境を分析する処理を行うサービスを提供するものであって、図１に示すように、金融商品取引業者装置１と、金融商品の取引を行う投資家が操作するトレーダ端末１０が、ネットワークＮＷを介して通信可能に構成されたものとなっている。
【００４２】
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００４３】
金融商品取引業者装置１は、金融商品仲介機関である金融商品取引業者が外国為替証拠金取引サービスを提供するための装置であって、トレーダ端末１０に対して金融商品のトレーディングソフトウェアを提供すると共に、金融商品の値動き関する始値、終値、高値、安値といった四本値情報のほか、金融商品の取引を行う際に必要な各種情報を逐次送信する機能を備えるサーバ（以下、「取引業者サーバ」という。）である。また、取引業者サーバ１は、トレーダ端末１０からの売買注文（注文情報）を受け付ける機能も備えている。
【００４４】
トレーダ端末１０は、外国為替証拠金取引を行う投資家が操作（利用）する通信端末であって、ＣＰＵ（Central Processing Unit）、ＲＡＭ（Random Access Memory）、ＲＯＭ（Read Only Memory）、ハードディスクドライブといったハードウェア資源、ＣＰＵが実行するコンピュータプログラム等のソフトウェア資源を備えることにより構成される。
【００４５】
また、トレーダ端末１０は、外国為替証拠金取引サービスの提供を受けるために必要なトレーディングソフトウェア等を記憶する記憶部を備えると共に、ＣＰＵでの処理に使用する情報や記憶部に記憶する情報をインターネットやＬＡＮなどのネットワークＮＷを介して送受信する通信装置を備える。すなわち、トレーダ端末１０は、有線通信網や無線通信網を介して取引業者サーバ１とデータ通信を行う機能を備え、取引業者サーバ１から為替取引レートなど金融商品の取引を行う際に必要な各種情報を受信すると共に、取引業者サーバ１に対して売買注文（注文情報）を送信する。
【００４６】
このようなトレーダ端末１０は、取引業者サーバ１が提供する所定の外国為替証拠金取引のための取引画面などを表示する表示制御機能（ブラウザなど）を備えると共に、入力ボタン、タッチパネル等の操作入力装置やディスプレイ等の表示装置（出力画面）を備える。具体的には、デスクトップＰＣ（パーソナルコンピュータ）やノートブックＰＣ、タブレットＰＣ、スマートフォンといった、インターネット等の通信ネットワークＮＷを介してデータの送受信やデータの入出力が可能な通信端末によって実現される。
【００４７】
本実施の形態においてトレーダ端末１０は、チャート表示処理部１１と、フレーム表示処理部１２と、取引環境標示処理部１３を少なくとも備える。
すなわち、トレーダ端末１０は、補助記憶装置（たとえば、ＲＯＭ）に記憶された各種のプログラム（ＯＳ、アプリケーション等）が主記憶装置（ＲＡＭ）にロードされ、ＣＰＵにより実行されることによって、チャート表示処理部１１と、フレーム表示処理部１２と、取引環境標示処理部１３とを含む装置として機能する。
【００４８】
チャート表示処理部１１は、取引業者サーバ１から入手したトレーディングソフトウェアが事前にインストールされたトレーダ端末１０が基本的に備える機能であって、金融商品の時間的な値動きの推移を、時間軸と価格軸とを用いたリアルタイムチャートで出力画面に表示する処理を行う手段である。
【００４９】
フレーム表示処理部１２は、取引業者サーバ１から四本値情報を受信することで出力画面に表示されたリアルタイムチャートに重ねて、時間軸方向と価格軸方向とに複数の区画を有するフレームを表示する処理を行う手段である。
【００５０】
このフレーム表示処理部１２での処理において、フレームは、リアルタイムチャートにおいて最新の値動きが示された時点から任意の時間遡った複数の時点にそれぞれ設けられる、価格軸（縦軸）に平行な複数の縦線と、リアルタイムチャートにおいて最新の値動きが示された時点から時間的に最も長く遡った時点までの間において、最高値に接して設けられる、時間軸（横軸）に平行な上横線、及び最安値に接して設けられる、時間軸（横軸）に平行な下横線と、この上横線と下横線の間を均等に区分して設けられる一以上の中横線と、から構成されたものとなっている。
【００５１】
ゆえに、フレーム表示処理部１２は、上述したフレームをリアルタイムチャートに重ねて表示するため、以下に記載される各機能を有している。
まず、フレーム表示処理部１２は、事前に設定された時間軸方向の区画の数に応じて受け付けた、四本値情報としてリアルタイムチャートに表示される図形の数の設定によって、複数の時点をそれぞれ特定する機能を有している。
すなわち、この処理方法では、表示するフレームとして事前に時間軸方向の区画の数が設定されており、この時間軸方向の区画ごと受け付けた、チャートに表示される図形の数の設定によって、フレーム表示処理部１２が、縦線を設ける位置となる複数の時点をそれぞれ特定するものとしている。
【００５２】
ここで、リアルタイムチャートに重ねて、たとえば、時間軸方向に２つの区画を有し、価格軸方向に２つの区画を有する２×２のフレームを表示する場合、時間軸方向の区画の数として「２」、価格軸方向の区画の数として「２」が事前に設定されたものとなる。また、同様に、時間軸方向に３つの区画を有し、価格軸方向に４つの区画を有する３×４のフレームを表示する場合、時間軸方向の区画の数として「３」、価格軸方向の区画の数として「４」が事前に設定されたものとなる。さらに、同様に、時間軸方向に４つの区画を有し、価格軸方向に４つの区画を有する４×４のフレームを表示する場合、時間軸方向の区画の数として「４」価格軸方向の区画の数として「４」が事前に設定されたものとなる。
【００５３】
フレーム表示処理部１２には、時間軸方向の区画の数及び価格軸方向の区画の数として所定の数がそれぞれデフォルト設定されているが、この数値は、適宜設定変更可能なものとなっている。ゆえに、たとえば、時間軸方向に４つの区画を有し、価格軸方向に４つの区画を有するものとして、フレームの区画の数が事前に設定されていた場合、これ以外のフレーム構成を望むのであれば、時間軸方向及び価格軸方向においてフレームの区画の数が所望の構成となるように、その設定を任意に変更すれば良い。
【００５４】
また、時間軸方向の区画においては、四本値情報としてリアルタイムチャートに表示される図形の数が、区画ごとに事前に設定されたものとなっている。この図形の数もまた、区画ごとにデフォルト設定されているが、この数値は、適宜設定変更することができる。
たとえば、フレームの時間軸方向の区画の数として「２」が事前に設定されている場合、フレーム表示処理部１２での図形の数の設定は、この区画ごとに行われる。具体的には、１つ目の区画が「３０」、２つの区画が「４０」といったように、区画ごとに図形の数がそれぞれ設定されることとなる。
【００５５】
したがって、最新の値動きを示す図形を１番目として、図形の数が設定される場合、１番目の図形から３０番目の図形が１つ目の区画に含まれ、３１番目の図形から７０番目の図形が２つ目の区画に含まれるものとなる。
【００５６】
また、図形の数の設定は、全ての区画で同じ数にするものとしても良い。この場合は、たとえば、複数の区画に含まれる図形の数の総数を設定することで、事前に設定されたフレームの時間軸方向の区画の数で自動的に均等割りされるものとする。
すなわち、たとえば、フレームの時間軸方向の区画の数として「４」が事前に設定されており、図形の数の総数として「１６０」を設定した場合、１６０を４で除する処理が実行され、４つの区画の全てにおいて、図形の数として「４０」がそれぞれ設定されたものとなる。
【００５７】
したがって、最新の値動きを示す１番目の図形から４０番目の図形が１つ目の区画に含まれ、４１番目の図形から８０番目の図形が２つ目の区画に含まれ、８１番目の図形から１２０番目の図形が３つ目の区画に含まれ、１２１番目の図形から１６０番目の図形が４つ目の区画に含まれるものとなる。
【００５８】
さらに、図形の数の設定は、区画ごとに設定するものと、複数の区画をまとめて設定するものを併せるようにしても良い。
すなわち、フレームの時間軸方向の区画の数として「４」が事前に設定されている場合、たとえば、最新の値動きを示す図形が含まれる１つ目の区画における図形の数の設定と、残りの３つの区画に含まれる図形の数の総数を設定するようにすることができる。
【００５９】
ゆえに、１つ目の区画における図形の数を「３０」、残り３つの区画における図形の数の総数を「１２０」と設定した場合、１つ目の区画の数はそのまま「３０」が設定されたものとなるが、２つ目から４つ目までの各区画の数は、１２０を３で除する処理が実行されることで、それぞれ「４０」が設定されたものとなる。
【００６０】
したがって、最新の値動きを示す１番目の図形から３０番目の図形が１つ目の区画に含まれ、３１番目の図形から７０番目の図形が２つ目の区画に含まれ、７１番目の図形から１１０番目の図形が３つ目の区画に含まれ、１１１番目の図形から１５０番目の図形が４つ目の区画に含まれるものとなる。
【００６１】
また、フレーム表示処理部１２は、特定した複数の時点の中で最新の値動きが示された時点から時間的に最も長く遡った時点までの間での最高値及び最安値を特定する機能を有すると共に、特定した複数の時点においてそれぞれ、特定した最高値を上限及び特定した最安値を下限とする縦線を生成する機能を有している。
すなわち、フレーム表示処理部１２は、縦線を設ける位置として特定した複数の時点においてそれぞれ、特定した最高値を上限とし、及び特定した最安値を下限とすることで、フレームを構成する縦線を生成する。
【００６２】
具体的には、たとえば、１つ目の区画における図形の数を「３０」、残り３つの区画における図形の数の総数を「１２０」と設定したフレームの場合、最新の値動きを示す図形から数えて３１番目の図形の前と、同じく７１番目の図形の前と、同じく１１１番目の図形の前と、同じく１５１番目の前に、それぞれ区切り線が引かれるように、フレームを構成する縦線が生成される。
【００６３】
さらに、フレーム表示処理部１２は、縦線の各上限に接する上横線と、縦線の各下限に接する下横線と、表示するフレームとして事前に設定された価格軸方向の区画の数に応じた中横線と、をそれぞれ生成する機能を有している。この中横線は、値動き（価格の上下動）の割合を確認する基準位置となる。
そして、フレーム表示処理部１２は、複数の縦線と、上横線と、下横線と、一以上の中横線と、で構成されたフレームを生成する機能を有し、トレーダ端末１０の出力画面に表示されたリアルタイムチャートに重ねてフレームが表示されるものとなる。
【００６４】
また、フレーム表示処理部１２は、最高値及び最安値を、複数の時点の中で時間的に最も短く遡った時点から時間的に最も長く遡った時点までの間に限定して特定する機能を有するものとしても良い。
【００６５】
そうすると、この場合のフレームは、特定した複数の時点の中で時間的に最も短く遡った時点から時間的に最も長く遡った時点までの間に限定して特定された最高値を上限、及び最安値を下限とする複数の縦線と、こられの縦線の各上限に接する上横線、及び各下限に接する下横線と、表示するフレームとして事前に設定された価格軸方向の区画の数に応じて上横線と下横線の間を均等に区分する一以上の中横線と、から構成されたものとなる。
【００６６】
取引環境標示処理部１３は、フレーム内に含まれる所定の複数の時点での四本値情報に基づいてチャートが示す取引環境を分析し、当該チャートが、金融商品取引の売買に望ましい所定の取引環境を示すと判断したとき、フレームの表示に加えて視覚的に認識可能な標示を施す処理を行う手段である。
【００６７】
この取引環境標示処理部１３は、たとえば、特定した複数の時点における四本値情報が示す始値に基づいて取引環境をそれぞれ分析し、その判断に応じた標示を始値が含まれる区画に施す機能を有するものとすることができる。
【００６８】
具体的には、たとえば、一つ目の区画における図形の数を「３０」、残り三つの区画における図形の数の総数を「１２０」と設定したフレームの場合、取引環境標示処理部１３は、最新の値動きを示す図形から数えて３０番目の図形が示す始値と、同じく７０番目の図形が示す始値と、同じく１１０番目の図形が示す始値と、同じく１５０番目の図形が示す始値が、フレームにおけるどの区画にそれぞれ位置しているかを見極めて分析を行い、取引環境の良し悪しを総合的に判断するものとしている。
【００６９】
ここで、取引環境の良し悪しを判断する分析方法は特に限定されるものではなく、たとえば、エリオット波動理論を用いるものとすることができる。すなわち、所定の取引環境は、このエリオット波動理論の基本とされる波形の一つであり、アルファベットの「Ｎ」の形に似たチャートパターン（波の動き）を指すＮ波動が捉えられるか、もしくは「Ｎ」の形が逆になった逆Ｎ波動が捉えられるによって判断されるものとすることができる。
【００７０】
たとえば、時間軸方向に四つの区画を有し、価格軸方向に四つの区画を有する、４×４に分割されたフレームが、リアルタイムチャートに重ねて表示された場合、所定の各時点において特定される図形が示す始値のフレーム内での位置（区画の配置）から、取引環境の良し悪しを総合的に判断することができる。
【００７１】
具体的には、今後の値動きがフレーム内の最高値を突き抜けることで、アルファベットの「Ｎ」の形に似たチャートパターンになる可能性が高い場合は、Ｎ波動が捉えられるものとして金融商品取引の「買い」に望ましい取引環境と判断することができる。一方、今後の値動きがフレーム内の最安値を突き抜けることで、アルファベットの「Ｎ」の形が逆になったものに似たチャートパターンになる可能性が高い場合は、逆Ｎ波動が捉えられるものとして金融商品取引の「売り」に望ましい取引環境と判断することができる。
【００７２】
なお、特定した複数の時点における図形が示す始値が含まれる区画の配置が、上記以外の場合は、金融商品取引の「買い」又は「売り」のどちらも望ましくない取引環境と判断することができる。
【００７３】
したがって、本発明に係る金融商品取引支援システムでは、リアルタイムチャートに重ねてフレームを表示することで、Ｎ波動が視覚的に捉え易くなり、リアルタイムで動き続ける相場でも、金融商品取引の売買に望ましい又は望ましくない所定の取引環境を見極めるための分析が行い易いものとなる。
【００７４】
また、取引環境標示処理部１３が施す標示としては、たとえば、フレームを構成する複数の縦線及び複数の横線の何れかによって囲まれた（仕切られた）区画内に全て色彩を施すものや、区画を囲む枠を設けて色彩を施すものとすることができる。この際、取引環境標示処理部１３は、標示として、金融商品取引の売りに望ましい所定の取引環境と、金融商品取引の買いに望ましい所定の取引環境とで、異なる色彩を施すものとしても良い。
【００７５】
また、取引環境標示処理部１３は、取引環境を分析した後、リアルタイムチャートにおいて設定された執行期間よりも長い上位期間にて同様に取引環境を分析し、執行期間に基づく取引環境の判断と、上位期間に基づく取引環境の判断が同じであるとき、標示として施される色彩を濃くする機能をさらに有するものとしても良い。
【００７６】
さらに、取引環境標示処理部１３は、リアルタイムチャートにおいて設定された執行期間での取引環境を分析した後、当該執行期間よりも長い上位期間にて同様に取引環境をさらに分析し、執行期間に基づく取引環境の判断と、上位期間情報に基づく取引環境の判断を、上向き又は下向きの矢印としてリアルタイムチャートの近傍にそれぞれ施す機能をさらに有するものとしても良い。
【００７７】
次に、取引業者サーバ１とトレーダ端末１０を用いた金融商品取引支援方法を実施するための金融商品取引支援システムでの処理の流れについて、図２を参照して説明する。
【００７８】
まず、本発明に係る金融商品取引支援方法を実施するための前処理として、投資家は、外国為替証拠金取引サービスを享受するため、事前にトレーダ端末１０の通信機能を用いて取引業者サーバ１のサイトへアクセスし、利用登録を行ってトレーディングソフトウェアを要求する（ａ）。
【００７９】
取引業者サーバ１は、トレーダ端末１０からの要求に応じて、トレーディングソフトウェアを提供（送信）する（ｂ）。
トレーダ端末１０は、取引業者サーバ１から送信されたトレーディングソフトウェアを受信（ダウンロード）し、トレーダ端末１０において使用可能となるようにインストールしておく（ｃ）。
トレーダ端末１０は、インストール後、金融商品の値動きに関する四本値（始値、終値、高値、安値）情報を含む金融商品情報を取引業者サーバ１に対して要求する。
【００８０】
取引業者サーバ１は、トレーダ端末１０からの要求に応じて、金融商品情報を送信する（ｄ）。
そうすると、トレーダ端末１０は、取引業者サーバ１から送信された金融商品情報を受信し、時間軸と価格軸とを用いて金融商品の時間的な値動きの推移を示すリアルタイムチャートを表示画面に表示する（ｅ）。
このように利用登録を行うことで投資家は、トレーダ端末１０を用いて外国為替証拠金取引を行うことができるものとなる。
【００８１】
また、投資家は必要に応じて、表示するフレームの構成を変更する（ｆ）。
すなわち、トレーダ端末１０においてデフォルトで設定されているフレーム構成の変更を望むのであれば、投資家は、時間軸方向及び価格軸方向においてフレームの区画の数が所望の構成となるように、トレーダ端末１０を用いて金融商品取引支援プログラムの設定を変更しておく。
【００８２】
さらに、投資家は必要に応じて、値動きを示す図形（たとえば、ローソク足）の数の設定を変更する（ｇ）。
すなわち、トレーダ端末１０においてデフォルトで設定されている一つの区画に含まれることとなる図形の数の変更を望むのであれば、投資家は、各区画において含まれることとなる図形の数が所望の数となるように、トレーダ端末１０を用いて金融商品取引支援プログラムの設定を変更しておく。
【００８３】
上述した前処理が終了すると、本発明に係る金融商品取引支援方法を実施するため、トレーダ端末１０は、設定されているフレーム構成に基づいて、時間的に遡る複数の時点を特定する（１０）。すなわち、フレームにおいて縦線を設けることとなる位置を特定する。
引き続き、トレーダ端末１０は、特定された複数の時点の間での最高値及び最安値を特定する（２０）。すなわち、フレームにおいて横線を設けることとなる位置を特定する。
【００８４】
そうすると、トレーダ端末１０は、特定した最高値を上限及び特定した最安値を下限とする、価格軸に平行な複数の縦線を生成する（３０）。
さらに、トレーダ端末１０は、特定した最高値に基づいて生成された縦線の各上端に接する、時間軸に平行な上横線と、特定した最安値に基づいて縦線の各下端に接する、時間軸に平行な下横線と、表示するフレームとして事前に設定された価格軸方向の区画の数に応じて、上横線と下横線の間を時間軸と平行に区分する所定数の中横線と、をそれぞれ生成する（４０）。
【００８５】
そして、トレーダ端末１０は、縦線と上横線と下横線と中横線とからフレームを生成し、リアルタイムチャートに重ねてこのフレームを表示する（５０）。
引き続き、トレーダ端末１０は、リアルタイムチャートが示す値動きの取引環境をフレームに基づいて判断する。すなわち、トレーダ端末１０は、フレームの各縦線が位置することで特定された複数の時点において特定される、値動きを示す図形（たとえば、ローソク足）が示す始値の位置に基づいて、リアルタイムチャートが示す当該執行期間での取引環境を判断する（６０）。
【００８６】
さらに、トレーダ端末１０は、リアルタイムチャートにおいて値動きを示す図形に設定された執行期間よりも長い上位期間にて、同様にリアルタイムチャートを分析し、取引環境を判断する（７０）。
その結果、トレーダ端末１０は、フレーム内に示されるリアルタイムチャートが所定の取引環境を示すと判断したとき、値動きを示す図形の始値が含まれる区画に、視覚的に認識可能な標示として取引環境に応じた色彩を施すと共に、リアルタイムチャートの近傍に、視覚的に認識可能な標示として取引環境に応じた矢印を表示する（８０）。
【００８７】
その後、トレーダ端末１０は、一定時間の経過ごとに、取引業者サーバ１に対して最新の金融商品情報を要求する（９０）。
取引業者サーバ１は、トレーダ端末１０からの要求に応じて最新の金融商品情報を送信する（ｄ）。
そうすると、トレーダ端末１０は、以後、上述した金融商品取引支援システムでの処理（１０）〜（９０）を順次繰り返す。
【００８８】
続いて、上述した金融商品取引支援方法を実施するトレーダ端末１０での動作の一例を図３及び図４に基づいて説明する。
まず、本金融商品取引支援サービスを利用するために、トレーダ端末１０においてトレーディングソフトウェアを実行すると、チャート表示処理部１１が、最新の金融商品情報を取得し、これに基づいて表示画面にリアルタイムチャートを表示する処理を行う（Ｓ１０）。
【００８９】
本実施の形態では、トレーディングソフトウェアとして、ロシアのMetaQuote・software社が開発したMeta Trader４（以下、「ＭＴ４」と記す。）を用いることとし、リアルタイムチャートは、四本値情報の図形としてローソク足を用いたローソク足チャートを表示するものとする。
【００９０】
このＭＴ４は、世界的にもっともメジャーなＦＸのトレーディングソフトウェアとして知られており、投資家からの金融商品の売買注文をトレーダ端末１０から取引業者サーバ１へ送信（発注）する機能を備えているものである。
【００９１】
続いて、チャート表示処理部１１が、リアルタイムチャートを出力画面に表示すると、これに伴って、フレーム表示処理部１２は、フレームの構成において設定された時間軸方向に分割される各時点、すなわち、フレームを構成する縦線によって区切ることとなるローソク足の位置を特定する処理を行う（Ｓ２０）。
【００９２】
本実施の形態では、リアルタイムチャートに重ねて表示するフレームの構成として、時間軸方向の区画の数として「４」、及び価格軸方向の区画の数として「４」、がそれぞれ設定された４×４のフレーム（合計１６の区画を有するフレーム）を表示するように、事前に設定されたものとなっている。ゆえに、トレーダ端末１０は、フレーム構成の変更を行う新たな設定条件の入力を受け付けた場合、事前に設定されたフレーム構成を変更する。
【００９３】
また、本実施の形態において時間軸方向に分割する各時点の設定は、１つ目の区画におけるローソク足の数を「３０」、残り３つの区画を合計したローソク足の数を「１２０」として設定したものとなっている。つまり、ローソク足の数は、最新の値動きを示す側の区画から時間軸方向に、３０，４０，４０，４０と設定されたものとなり、この設定されたローソク足の数ごとに区切られる区画を備えるフレームを表示するものとなっている。
【００９４】
引き続き、フレーム表示処理部１２は、時間的に最も短く遡った時点から時間的に最も長く遡った時点までの間限定して示される価格の最高値と最安値を特定する処理を行う（Ｓ３０）。
すなわち、フレーム表示処理部１２は、設定された各時点の中で、時間的に最も短く遡った時点において特定されるローソク足から時間的に最も長く遡った時点において特定されるローソク足までの間で示される価格の最高値と最安値を特定する。具体的には、最新の値動きを示すローソク足から数えて３１番目のローソク足（以下、ローソク足は同様に数えるものとする。）から１５０番目のローソク足までの間で示される価格の最高値と最安値を特定する。
【００９５】
さらに、フレーム表示処理部１２は、特定した最高値を上限及び最安値を下限とする直線を、時間軸方向に分割される各時点において縦線としてそれぞれ生成する処理を行う（Ｓ４０ａ）。
すなわち、３０番目のローソク足と、７０番目のローソク足と、１１０番目のローソク足と、１５０番目のローソク足に、特定した最高値を上限及び最安値を下限とする区切り直線がそれぞれ引かれるように、フレームを構成する複数の縦線を生成する。
【００９６】
同時に、フレーム表示処理部１２は、特定した最高値（縦線の上端）に接する上横線と、特定した最安値（縦線の下端）に接する下横線と、上横線と下横線との間を均等に区分する所定数の中横線を生成する処理を行う（Ｓ４０ｂ）。
すなわち、フレーム表示処理部１２は、フレームを構成する複数の横線の位置を特定する。
【００９７】
そうすると、フレーム表示処理部１２は、生成した複数の縦線と、上横線と、下横線と、所定数の中横線とからなるフレームを構成し、図５に示すように、このフレームＦをリアルタイムチャートＣＣに重ねて出力画面に表示する処理を行う（Ｓ５０）。
【００９８】
図５において、リアルタイムチャートＣＣは、時間足として５分足を執行足として設定するローソク足チャートで示され、このローソク足チャートＣＣに重ねて、時間軸方向に４つの区画を有し、価格軸方向に４つの区画を有する、４×４のフレームＦが示されている。
【００９９】
このフレームＦは、時間軸方向に分割される各時点として、３０番目のローソク足に形成された、価格軸に平行な縦線ＶＬ１と、同じく７０番目のローソク足に形成された縦線ＶＬ２と、同じく１１０番目のローソク足に形成された縦線ＶＬ３と、同じく１５０番目のローソク足に形成された縦線ＶＬ４を有するものとなっている。
【０１００】
また、このフレームＦにおいて縦線ＶＬは何れも、３１番目のローソクから１５０番目のローソク足までの間において最高値となっている位置を上限とし、同範囲内で最安値となっている位置を下限するものとなっている。
図５において、最高値ＨＰは１５０番目のローソク足が示しており、最安値ＬＰは３４番目のローソク足が示しているものとなっている。
【０１０１】
そして、このフレームＦでは、１５０番目のローソク足が示す最高値の位置（すなわち、ローソク足の上ヒゲの上端）に接するように時間軸と平行に形成された上横線ＵＨＬと、３４番目のローソク足が示す最安値の位置（すなわち、ローソク足の下ヒゲの下端）に接するように時間軸と平行に形成された下横線ＬＨＬと、この上横線ＵＨＬと下横線ＬＨＬの間を四等分するように時間軸と平行に形成された三つの中横線ＭＨＬ１，ＭＨＬ２，ＭＨＬ３を、それぞれ有するものとなっている。
【０１０２】
また、図５において、上横線ＵＨＬと、下横線ＬＨＬと、三つの中横線ＭＨＬ１，ＭＨＬ２，ＭＨＬ３は何れも、最新のローソク足の位置を右限とし、時間的に最も長く遡った１５０番目のローソク足の位置を左限するものとなっている。
【０１０３】
フレーム表示処理部１２が、ローソク足チャートＣＣに重ねてフレームＦを出力画面に表示すると、これに伴って、取引環境標示処理部１３は、時間軸方向に分割される各時点において特定されるローソク足が示す始値の位置をそれぞれ特定する処理を行う（Ｓ６０）。
【０１０４】
すなわち、取引環境標示処理部１３は、縦線ＶＬ１によって特定された３０番目のローソク足が示す始値と、縦線ＶＬ２によって特定された７０番目のローソク足が示す始値と、縦線ＶＬ３によって特定された１１０番目のローソク足が示す始値と、縦線ＶＬ４によって特定された１５０番目のローソク足が示す始値が、フレームにおける価格軸方向のどの区画にそれぞれ位置しているかを見極める。
【０１０５】
続いて、取引環境標示処理部１３は、所定の各時点において特定されるローソク足が示す始値のフレーム内での位置から、所定の取引環境であるか否かを判断する処理を行う（Ｓ７０）。
ここで、所定の取引環境としては、所定の各時点において特定されるローソク足が示す始値がフレーム内のどの区画を通っているかによって判断することができる。
【０１０６】
たとえば、３０番目のローソク足が示す始値が、一番右の列において中間２つの区画の何れかに含まれ、次に、同じく７０番目のローソク足が示す始値が、右から２番目の列において上２つの区画の何れかに含まれ、さらに、同じく１１０番目のローソク足が示す始値が、右から３番目の列において上２つの区画の何れか、もしくは下２つの区画の何れかに含まれ、そして最後に、同じく１５０番目のローソク足が示す始値が、一番左の列において下２つの区画の何れかに含まれている場合、これらのローソク足が含まれる区画の配置から、今後の値動きが、フレーム内の最高値を突き抜けてＮ波動を捉える可能性が高くなるものと予測し、金融商品取引の「買い」に望ましい取引環境と判断する。
【０１０７】
一方、３０番目のローソク足が示す始値が、一番右の列において中間２つの区画の何れかに含まれ、次に、同じく７０番目のローソク足が示す始値が、右から２番目の列において下２つの区画の何れかに含まれ、さらに、同じく１１０番目のローソク足が示す始値が、右から３番目の列において上２つの区画の何れか、もしくは下２つの区画の何れかに含まれ、そして最後に、同じく１５０番目のローソク足が示す始値が、一番左の列において上２つの区画の何れかに含まれている場合、これらのローソク足が含まれる区画の配置から、今後の値動きが、フレーム内の最安値を突き抜けて逆Ｎ波動が捉える可能性が高くなるものと予測し、金融商品取引の「売り」に望ましい取引環境と判断する。
【０１０８】
なお、本実施の形態の場合、所定の取引環境は、所定の各時点において特定されるローソク足が示す始値が含まれる区画の配置が、アルファベットの「Ｎ」の形に似たチャートパターンになる可能性が高いか、もしくはアルファベットの「Ｎ」の形が逆になったものに似たチャートパターンになる可能性が高いか、によって判断するものとしている。しかしながら、ローソク足が示す始値が含まれる区画の配置は、上述した配置に限定せず、任意に設定変更するものとしても良い。
【０１０９】
その結果、取引環境標示処理部１３が、金融商品取引の売買に望ましい所定の取引環境であると判断した場合（Ｙ）、取引環境標示処理部１３は、図６もしくは図７に示すように、特定したローソク足が示す始値が含まれる区画に、取引環境に応じた所定の色彩をそれぞれ施して表示する処理を行う（Ｓ８０）。
【０１１０】
図６において、縦線ＶＬ１によって特定された３０番目のローソク足ＣＳ３０が示す始値は、一番右の列の上から２段目の区画に含まれるものとして示されている。また、縦線ＶＬ２によって特定された７０番目のローソク足ＣＳ７０が示す始値は、右から２番目の列の最上段の区画に含まれるものとして示されている。また、縦線ＶＬ３によって特定された１１０番目のローソク足ＣＳ１１０が示す始値は、右から３番目の列の下から２段目の区画に含まれるものとして示されている。そして、縦線ＶＬ４によって特定された１５０番目のローソク足ＣＳ１５０が示す始値は、一番左の列の最下段の区画に含まれるものとして示されている。
【０１１１】
そして、図６では、これらのローソク足が含まれる区画の配置から、今後の値動きはフレーム内の最高値を突き抜けてＮ波動を捉える可能性が高くなるものと予測し、金融商品取引の「買い」に望ましい取引環境にあると判断されるとして、これらの区画に所定の色彩が施されたものとして示している。
【０１１２】
一方、図７では、縦線ＶＬ１によって特定された３０番目のローソク足ＣＳ３０が示す始値は、一番右の列の下から２段目の区画に含まれるものとして示されている。また、縦線ＶＬ２によって特定された７０番目のローソク足ＣＳ７０が示す始値は、右から２番目の列の下から２段目の区画に含まれるものとして示されている。また、縦線ＶＬ３によって特定された１１０番目のローソク足ＣＳ１１０が示す始値も、右から３番目の列の下から２段目の区画に含まれるものとして示されている。そして、縦線ＶＬ４によって特定された１５０番目のローソク足ＣＳ１５０が示す始値は、一番左の列の上から２段目の区画に含まれるものとして示されている。
【０１１３】
そして、図７では、これらのローソク足が含まれる区画の配置から、今後の値動きはフレーム内の最安値を突き抜けて逆Ｎ波動を捉える可能性が高くなるものと予測し、金融商品取引の「売り」に望ましい取引環境にあると判断されるとして、これらの区画に所定の色彩が施されたものとして示している。
【０１１４】
ここで、取引環境に応じた所定の色彩は、たとえば、取引環境が上昇トレンドでＮ波動が形成される可能性が高い場合は、特定したローソク足が示す始値が含まれる区画に青色を施し、「買い」のエントリーチャンスであることを視覚的に知らせる。一方、取引環境が下降トレンドで逆Ｎ波動が形成される可能性が高い場合は、特定したローソク足が示す始値が含まれる区画に赤色を施し、「売り」のエントリーチャンスであることを視覚的に知らせるものとすることができる。
【０１１５】
また、取引環境標示処理部１３は、引き続き、上位足での取引環境を判断する設定がなされているか否かを確認する処理を行う（Ｓ９０）。
その結果、取引環境標示処理部１３が、上位足での取引環境を判断する設定がなされていることを確認した場合（Ｙ）、取引環境標示処理部１３は、執行足での取引環境の判断と同様に上位足での取引環境を判断し、執行足での取引環境と上位足での取引環境が同じであるか否か判断する処理を行う（Ｓ１００）。
【０１１６】
ここで、上位足とは、リアルタイムチャートに示されているローソク足に示す（設定されている）時間足より長い時間足（上の時間足）のことをいう。ゆえに、たとえば、執行足が１分足の場合に上位足は５分足、執行足が５分足の場合に上位足は１５分足、執行足が１５分足の場合に上位足は１時間足、執行足が３０分足の場合に上位足は４時間足、執行足が１時間足の場合に上位足は４時間足、執行足が４時間足の場合に上位足は日足、執行足が日足の場合に上位足は週足、に設定して判定することができる。
【０１１７】
その結果、取引環境標示処理部１３が、執行足での取引環境と上位足での取引環境が同じであると判断した場合（Ｙ）、取引環境標示処理部１３は、特定したローソク足が示す始値が含まれる区画に、取引環境に応じた所定の他の色彩をそれぞれ施して表示する処理を行う（Ｓ１１０）。
【０１１８】
なお、執行足での取引環境と上位足での取引環境が同じであると判断した場合における取引環境に応じた所定の色彩は、色彩を変更して良いし、色彩の濃度を濃いものとしても良い。たとえば、執行足での取引環境が「買い」に望ましいと判断される場合、区画に水色（薄い青色）の色彩を施し、執行足での取引環境と上位足での取引環境が共に「買い」に望ましいと判断される場合、区画に青色（濃い青色）の色彩を施すものとすることができる。一方、執行足での取引環境が「売り」に望ましいと判断される場合、区画に桃色（薄い赤色）の色彩を施し、執行足での取引環境と上位足での取引環境が共に「売り」に望ましいと判断される場合、区画に赤色（濃い赤色）の色彩を施すものとすることができる。
【０１１９】
また、取引環境標示処理部１３は、引き続き、取引環境に応じた矢印表示の設定がなされているか否かを確認する処理を行う（Ｓ１２０）。
一方、取引環境標示処理部１３が、Ｓ７０において、金融商品取引の売買に望ましい所定の取引環境とは判断できない（すなわち、所定の取引環境ではない）と判断した場合（Ｎ）、また、Ｓ９０において、上位足での取引環境を判断する設定がなされていることを確認でいない（すなわち、上位足での取引環境を判断する設定がなされていない）と判断した場合（Ｎ）、及びＳ１００において、執行足での取引環境と上位足での取引環境が同じであると判断できない（すなわち、執行足での取引環境と上位足での取引環境は異なる）と判断した場合（Ｎ）、取引環境標示処理部１３は何れも、引き続き、取引環境に応じた矢印表示の設定がなされているか否かを確認する処理を行う（Ｓ１２０）。
【０１２０】
その結果、取引環境標示処理部１３が、取引環境に応じた矢印表示の設定がなされていると判断した場合（Ｙ）、取引環境標示処理部１３は、フレームの近傍に取引環境に応じた所定の矢印を表示する処理を行う（Ｓ１３０）。
ここで、取引環境に応じた所定の矢印とは、たとえば、図８に示すように、取引環境が「買い」の方向であれば上向き矢印で示し、また、図９に示すように、取引環境が「売り」の方向であれば下向き矢印で示すことができる。
【０１２１】
図８及び図９において、フレームＦの近傍に、取引環境に応じた所定の矢印標示欄Ｓが設けられた状態が示されている。この矢印標示欄Ｓは、たとえば、執行足での取引環境を示す執行標示欄ＥＡと、上位足での取引環境を示す上位標示欄ＵＡとから構成されたものとすることができる。
【０１２２】
そして、図８では、下段に設けられた執行標示欄ＥＡには、執行足が５分足に設定されていることを示す「Ｍ５」の文字と、執行足での取引環境が「買い」に望ましいと判断されることを示す上向き矢印の図形が示されている。また、上段に設けられた上位標示欄ＵＡには、上位足が１５分足に設定されていることを示す「Ｍ１５」の文字と、執行足での取引環境が「買い」に望ましいと判断されることを示す上向き矢印の図形が示されている。
【０１２３】
一方、図９では、下段に設けられた執行標示欄ＥＡには、執行足が５分足に設定されていることを示す「Ｍ５」の文字と、執行足での取引環境が「売り」に望ましいと判断されることを示す下向き矢印の図形が示されている。また、上段に設けられた上位標示欄ＵＡには、上位足が１５分足に設定されていることを示す「Ｍ１５」の文字と、執行足での取引環境が「売り」に望ましいと判断されることを示す下向き矢印の図形が示されている。
【０１２４】
なお、取引環境が「買い」又は「売り」のどちらも望ましくないと判断される場合、矢印ではなく「−」が示されるものとすると良い。
【０１２５】
その後、チャート表示処理部１１が、金融商品情報を取得してから一定時間経過したか否か判断する処理を行う（Ｓ１４０）。
また、取引環境標示処理部１３が、取引環境に応じた矢印表示の設定がなされていないと判断した場合（Ｎ）も、チャート表示処理部１１が、金融商品情報を取得してから一定時間経過したか否か判断する処理を行う（Ｓ１４０）。
【０１２６】
その結果、チャート表示処理部１１が、金融商品情報を取得してから一定時間経過したと判断した場合（Ｙ）、チャート表示処理部１１は、取引業者サーバ１に対して最新の金融商品情報を要求する処理を行う（Ｓ１５０）。
チャート表示処理部１１は、取引業者サーバ１から最新の金融商品情報を取得（受信）する（Ｓ１６０）。
その後、チャート表示処理部１１は、これに基づいて表示画面に新たなリアルタイムチャートを表示する処理（Ｓ１０）を行い、以後、上述した同様の処理を繰り返す。
【０１２７】
以上のように本発明では、リアルタイムチャートに重ねて表示したフレームによって、フレーム内のどの区画にリアルタイムチャートが位置しているかが容易に把握でき、値動きの動向（価格の上下動）による取引環境の分析が行い易いものとなっている。ゆえに、金融商品取引の売買に望ましい取引環境が見極め易いものとなっている。
【０１２８】
また、本発明は、スキャルピング、デイトレード、スイングトレード、長期トレードといった取引の形態に関係なく、所望の時間足に設定したリアルタイムチャートに重ねてフレームを表示することで、自由自在に相場の取引環境を見分けることができる。
【０１２９】
しかも、本発明に係る金融商品取引支援システムは、為替チャートのみならず、株式や商品先物等のチャートに重ねてフレームを表示することで、同様に相場の取引環境を見分けることができる。
【符号の説明】
【０１３０】
ＣＣ    ローソク足チャート（リアルタイムチャート）
Ｆ      フレーム
ＬＨＬ  下横線
ＭＨＬ  中横線
ＮＷ    ネットワーク
ＵＨＬ  上横線
ＶＬ    縦線
１      金融商品取引業者装置（取引業者サーバ）
１０    トレーダ端末
１１    チャート表示処理部
１２    フレーム表示処理部
１３    取引環境標示処理部
【要約】      （修正有）【課題】金融商品の売買取引に望ましい取引環境を分析する処理を行うための金融商品取引支援システム、金融商品取引支援方法、及び金融商品取引支援プログラムを提供する。【解決手段】金融商品取引業者装置１は、金融商品仲介機関である金融商品取引業者が外国為替証拠金取引サービスを提供するための装置であって、トレーダ端末１０に対して金融商品のトレーディングソフトウェアを提供すると共に、金融商品の値動き関する始値、終値、高値、安値といった四本値情報のほか、金融商品の取引を行う際に必要な各種情報を逐次送信する機能を備える。トレーダ端末１０は、取引業者サーバ１から四本値情報を受信することで出力画面に表示されたリアルタイムチャートに重ねて、時間軸方向と価格軸方向とに複数の区画を有するフレームを表示するる。【選択図】図１【図１】
0006895670.tif 000002
【図２】
0006895670.tif 000003
【図３】
0006895670.tif 000004
【図４】
0006895670.tif 000005
【図５】
0006895670.tif 000006
【図６】
0006895670.tif 000007
【図７】
0006895670.tif 000008
【図８】
0006895670.tif 000009
【図９】
0006895670.tif 000010